(57)【要約】【課題】ユーザがファイルデータのダウンロードの進捗状況を容易に確認することができる表示制御装置、表示制御プログラム、およびデータ送信プログラムを提供する。【解決手段】表示端末は、ＰＣとの間でデータの通信を行うことができ、且つ、画像を表示する表示パネルによる画像の表示を制御する。表示端末は、表示パネルに表示させる１または複数のページのデータを含むファイルデータをＰＣから受信し、メモリカードに記憶させる（Ｓ３０）。ファイルデータのうちの一のページのデータの受信が完了したか否かを判断する（Ｓ３６）。表示端末は、一のページのデータの受信が完了したと判断する毎に（Ｓ３６：ＹＥＳ）、メモリカードに記憶されたデータに従って、データの受信が完了した一のページをファイルデータの受信中に表示パネルに表示させる（Ｓ３８，Ｓ３９）。【選択図】図６
2012003439.tif 000002
【特許請求の範囲】
【請求項１】
外部機器との間でデータの通信を行う通信手段を備え、前記通信手段を介して前記外部機器からデータをダウンロードし、ダウンロードしたデータに従って、画像を表示する表示手段に画像を表示させる表示制御装置であって、
前記表示手段に表示させる１または複数のページのデータを含むファイルデータを外部機器から前記通信手段を介して受信し、データを記憶する記憶手段に記憶させる受信手段と、
前記受信手段によって前記ファイルデータのうちの一のページのデータの受信が完了したか否かを判断する判断手段と、
前記判断手段によって一のページのデータの受信が完了したと判断される毎に、前記記憶手段に記憶されたデータに従って、前記ファイルデータの受信中に前記一のページを前記表示手段に表示させる表示制御手段と
を備えたことを特徴とする表示制御装置。
【請求項２】
前記ファイルデータの受信中に、前記表示制御手段によって前記表示手段に表示されているページに対する処理の実行指示を受け付ける指示受付手段と、
前記指示受付手段によって処理の実行指示が受け付けられた場合に、前記記憶手段に記憶されているファイルデータのうち、処理の実行が指示されたページのデータに対して、前記実行指示によって指示された処理を実行する処理手段と
をさらに備えたことを特徴とする請求項１に記載の表示制御装置。
【請求項３】
前記指示受付手段は、ページを探索するための目印を付与する処理の実行指示である第一実行指示を受け付けることが可能であり、
前記処理手段は、前記指示受付手段によって前記第一実行指示が受け付けられた場合に、処理の実行が指示されたページに目印を付与することを特徴とする請求項２に記載の表示制御装置。
【請求項４】
前記指示受付手段は、ページを削除する処理の実行指示である第二実行指示を受け付けることが可能であり、
前記処理手段は、前記指示受付手段によって前記第二実行指示が受け付けられた場合に、処理の実行が指示されたページのデータを前記記憶手段から削除することを特徴とする請求項２または３に記載の表示制御装置。
【請求項５】
前記処理手段は、前記受信手段による一のファイルデータの受信が完了した場合に、前記一のファイルデータの受信中に前記指示受付手段によって受け付けられた実行指示に従って処理を実行することを特徴とする請求項２から４のいずれかに記載の表示制御装置。
【請求項６】
データの受信が完了したページをファイルデータの受信中に前記表示手段に表示させるか否かの選択指示を受け付ける選択受付手段をさらに備え、
前記表示制御手段は、ページを表示させる選択指示が前記選択受付手段によって受け付けられている場合にのみ、一のページのデータの受信が完了する毎に前記表示手段に前記一のページを表示させることを特徴とする請求項１から５のいずれかに記載の表示制御装置。
【請求項７】
前記表示制御手段は、データの受信が完了した複数のページを前記表示手段にサムネイル形式で表示させることが可能であることを特徴とする請求項１から６のいずれかに記載の表示制御装置。
【請求項８】
外部機器との間でデータの通信を行う通信手段を備え、前記通信手段を介して前記外部機器からデータをダウンロードし、ダウンロードしたデータに従って、画像を表示する表示手段に画像を表示させる表示制御装置に実行させる表示制御プログラムであって、
コンピュータに、
前記表示手段に表示させる１または複数のページのデータを含むファイルデータを外部機器から前記通信手段を介して受信し、データを記憶する記憶手段に記憶させる受信ステップと、
前記受信ステップによって前記ファイルデータのうちの一のページのデータの受信が完了したか否かを判断する判断ステップと、
前記判断ステップによって一のページのデータの受信が完了したと判断される毎に、前記記憶手段に記憶されたデータに従って、前記ファイルデータの受信中に前記一のページを前記表示手段に表示させる表示制御ステップと
を実行させるための表示制御プログラム。
【請求項９】
外部機器からダウンロードしたデータに従って表示手段に画像を表示させる表示制御装置に対し、前記表示手段に画像を表示させるためのファイルデータを送信するデータ送信プログラムであって、
コンピュータに、
前記表示手段に表示させる１または複数のページのデータを含むファイルデータを、データの通信を行う通信手段を介して前記表示制御装置に送信するデータ送信ステップと、
前記データ送信ステップによって前記ファイルデータのうちの一のページのデータの送信が完了する毎に、前記一のページを前記表示手段に表示させる指示を前記表示制御装置に送信する表示指示ステップと
を実行させるためのデータ送信プログラム。
【発明の詳細な説明】
【技術分野】
【０００１】
本発明は、ディスプレイに画像を表示させるためのファイルデータを通信することが可能な表示制御装置、表示制御プログラム、およびデータ送信プログラムに関する。
【背景技術】
【０００２】
従来、ディスプレイに画像を表示させるためのファイルデータを、複数の機器の間で送受信する技術が知られている。例えば、特許文献１が開示しているパーソナルコンピュータ（以下、「ＰＣ」という。）は、各種アプリケーションによって作成されたファイルデータから、通信相手の表示制御装置が処理できるフォーマット（データ形式）のファイルデータを作成する。ＰＣは、作成したファイルデータを表示制御装置に送信する。表示制御装置は、ＰＣからダウンロードしたファイルデータに基づいて、ディスプレイに画像を表示させることができる。
【先行技術文献】
【特許文献】
【０００３】
【特許文献１】特開２００９−１２８６７０号公報
【発明の概要】
【発明が解決しようとする課題】
【０００４】
従来の技術では、１または複数のページのデータを含むファイルデータの全てを表示制御装置がダウンロードした後でなければ、ユーザは、表示制御装置によって表示が制御されるディスプレイ上で画像を確認することができなかった。従って、ユーザは、ファイルデータのダウンロード中にダウンロードの進捗状況を確認することは困難であった。
【０００５】
本発明は、ユーザがファイルデータのダウンロードの進捗状況を容易に確認することができる表示制御装置、表示制御プログラム、およびデータ送信プログラムを提供することを目的とする。
【課題を解決するための手段】
【０００６】
本発明の第一の態様に係る表示制御装置は、外部機器との間でデータの通信を行う通信手段を備え、前記通信手段を介して前記外部機器からデータをダウンロードし、ダウンロードしたデータに従って、画像を表示する表示手段に画像を表示させる表示制御装置であって、前記表示手段に表示させる１または複数のページのデータを含むファイルデータを外部機器から前記通信手段を介して受信し、データを記憶する記憶手段に記憶させる受信手段と、前記受信手段によって前記ファイルデータのうちの一のページのデータの受信が完了したか否かを判断する判断手段と、前記判断手段によって一のページのデータの受信が完了したと判断される毎に、前記記憶手段に記憶されたデータに従って、前記ファイルデータの受信中に前記一のページを前記表示手段に表示させる表示制御手段とを備えている。
【０００７】
第一の態様に係る表示制御装置は、１または複数のページのデータを含むファイルデータのうち、１つのページのデータの受信が完了する毎に、データの受信が完了したページをファイルデータの受信中（ダウンロード中）に表示手段に表示させる。従って、ユーザは、表示手段に表示される画像を見ることで、ファイルデータのダウンロードの進捗状況を、データのダウンロード中に容易に確認することができる。
【０００８】
前記表示制御装置は、前記ファイルデータの受信中に、前記表示制御手段によって前記表示手段に表示されているページに対する処理の実行指示を受け付ける指示受付手段と、前記指示受付手段によって処理の実行指示が受け付けられた場合に、前記記憶手段に記憶されているファイルデータのうち、処理の実行が指示されたページのデータに対して、前記実行指示によって指示された処理を実行する処理手段とをさらに備えてもよい。ユーザは、ファイルデータのダウンロード中に、ファイルデータのダウンロードの進捗状況を確認しながら、各ページに対する処理を表示制御装置に実行させることができる。よって、ユーザは、各ページに対する処理を効率良く容易に表示制御装置に実行させることができる。
【０００９】
前記指示受付手段は、ページを探索するための目印を付与する処理の実行指示である第一実行指示を受け付けることが可能であってもよい。前記処理手段は、前記指示受付手段によって前記第一実行指示が受け付けられた場合に、処理の実行が指示されたページに目印を付与すればよい。この場合、ユーザは、ファイルデータのダウンロードの進捗状況を確認しながら、ページを検索するための目印を所望するページに容易に付与することができる。
【００１０】
前記指示受付手段は、ページを削除する処理の実行指示である第二実行指示を受け付けることが可能であってもよい。前記処理手段は、前記指示受付手段によって前記第二実行指示が受け付けられた場合に、処理の実行が指示されたページのデータを前記記憶手段から削除すればよい。この場合、ユーザは、ファイルデータのダウンロードの進捗状況を確認しながら、所望するページのデータを効率良く削除することができる。
【００１１】
前記処理手段は、前記受信手段による一のファイルデータの受信が完了した場合に、前記一のファイルデータの受信中に前記指示受付手段によって受け付けられた実行指示に従って処理を実行してもよい。この場合、表示制御装置は、ユーザによって指示された処理を、ファイルデータのダウンロード中に実行する必要が無い。従って、表示制御装置は、処理遅延等の不具合が生じる可能性を低下させて、ファイルデータを素早く且つ円滑にダウンロードすることができる。
【００１２】
前記表示制御装置は、データの受信が完了したページをファイルデータの受信中に前記表示手段に表示させるか否かの選択指示を受け付ける選択受付手段をさらに備えてもよい。前記表示制御手段は、ページを表示させる選択指示が前記選択受付手段によって受け付けられている場合にのみ、一のページのデータの受信が完了する毎に前記表示手段に前記一のページを表示させてもよい。この場合、ユーザは、データの受信が完了したページをファイルデータの受信中に表示させる選択指示を入力すれば、データのダウンロードの進捗状況を容易に把握することができる。一方、ユーザは、ダウンロードの進捗状況を把握する必要がない場合には、ページを表示させない選択指示を入力することで、表示制御装置の処理負担を低下させることができる。その結果、ファイルデータのダウンロードの速度を向上させることができ、且つ表示制御装置の消費電力を低下させることができる。
【００１３】
前記表示制御手段は、データの受信が完了した複数のページを前記表示手段にサムネイル形式で表示させることが可能であってもよい。この場合、ユーザは、サムネイル形式で表示された複数のページによって、データのダウンロードの進捗状況をより容易に確認することができる。
【００１４】
本発明の第二の態様に係る表示制御プログラムは、外部機器との間でデータの通信を行う通信手段を備え、前記通信手段を介して前記外部機器からデータをダウンロードし、ダウンロードしたデータに従って、画像を表示する表示手段に画像を表示させる表示制御装置に実行させる表示制御プログラムであって、コンピュータに、前記表示手段に表示させる１または複数のページのデータを含むファイルデータを外部機器から前記通信手段を介して受信し、データを記憶する記憶手段に記憶させる受信ステップと、前記受信ステップによって前記ファイルデータのうちの一のページのデータの受信が完了したか否かを判断する判断ステップと、前記判断ステップによって一のページのデータの受信が完了したと判断される毎に、前記記憶手段に記憶されたデータに従って、前記ファイルデータの受信中に前記一のページを前記表示手段に表示させる表示制御ステップとを実行させることを特徴とする。
【００１５】
第二の態様に係る表示制御プログラムによると、表示制御装置は、１または複数のページのデータを含むファイルデータのうち、１つのページのデータの受信が完了する毎に、データの受信が完了したページをファイルデータの受信中（ダウンロード中）に表示手段に表示させる。従って、ユーザは、表示手段に表示される画像を見ることで、ファイルデータのダウンロードの進捗状況を、データのダウンロード中に容易に確認することができる。
【００１６】
本発明の第三の態様に係るデータ送信プログラムは、外部機器からダウンロードしたデータに従って表示手段に画像を表示させる表示制御装置に対し、前記表示手段に画像を表示させるためのファイルデータを送信するデータ送信プログラムであって、コンピュータに、前記表示手段に表示させる１または複数のページのデータを含むファイルデータを、データの通信を行う通信手段を介して前記表示制御装置に送信するデータ送信ステップと、前記データ送信ステップによって前記ファイルデータのうちの一のページのデータの送信が完了する毎に、前記一のページを前記表示手段に表示させる指示を前記表示制御装置に送信する表示指示ステップとを実行させることを特徴とする。
【００１７】
第三の態様に係るデータ送信プログラムによると、表示制御装置は、１または複数のページのデータを含むファイルデータのうち、１つのページのデータの受信が完了する毎に、データの受信が完了したページを表示手段に表示させる。従って、ユーザは、表示手段に表示される画像を見ることで、ファイルデータのダウンロードの進捗状況を、データのダウンロード中に容易に確認することができる。
【図面の簡単な説明】
【００１８】
【図１】画像表示システム１００のシステム構成図である。
【図２】表示端末１の電気的構成を示すブロック図である。
【図３】ＰＣ３の電気的構成を示すブロック図である。
【図４】第一の実施形態に係るＰＣ３が実行する送信処理のフローチャートである。
【図５】ファイルデータ送受信設定画面の一例を示す図である。
【図６】第一の実施形態に係る表示端末１が実行する受信処理のフローチャートである。
【図７】逐次表示を行っている表示端末１の一形態を示す図である。
【図８】第二の実施形態に係るＰＣ３が実行する送信処理のフローチャートである。
【図９】第二の実施形態に係る表示端末１が実行する受信処理のフローチャートである。
【発明を実施するための形態】
【００１９】
以下、本発明の第一の実施形態に係る表示端末１について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００２０】
図１を参照して、表示端末１を備えた画像表示システム１００の概要について説明する。画像表示システム１００は、表示端末１とＰＣ３とを備える。表示端末１は、所定厚を有する平面視長方形状の板状に形成された軽量・薄型の携帯表示端末である。表示端末１は、その上面に、平面視長方形状の表示パネル２６を備える。表示パネル２６には、テキスト、図表等から構成される種々のコンテンツが表示される。特に、表示パネル２６は、複数のページからなるコンテンツを表示することが可能である。従って、ユーザは、表示パネル２６を電子書籍等の用途に使用することもできる。
【００２１】
表示パネル２６は、電気泳動方式で駆動する。電気泳動方式の表示パネル２６は、プラスに帯電した白の電気泳動粒子と、マイナスに帯電した黒の電気泳動粒子とを、電気泳動によって表示液中を移動させることで、画像を表示する。本実施形態の表示端末１では、電気泳動方式による表示制御を行うために好適なフォーマット（以下、「端末用フォーマット」という。）のファイルデータに基づいて画像表示が行われる。なお、表示パネル２６としては、電気泳動方式の表示パネルの他、軽量・薄型の反射型液晶等を用いることもできる。
【００２２】
表示パネル２６の右側には、ユーザが各種操作指示を入力するための操作部２７が設けられている。また、図示しないが、表示端末１の側面には、メモリカード１５（図２参照）を挿入するためのカードスロット、ＵＳＢケーブル２０が着脱されるＵＳＢポート等が設けられている。表示端末１とＰＣ３とは、有線（例えば、ＵＳＢケーブル２０を介した通信）または無線による通信を行うことができる。
【００２３】
ＰＣ３には、表示端末１との間の通信を制御するためのドライバプログラムと、各種ファイルデータの作成、閲覧、編集等を行うためのアプリケーションプログラムとがインストールされている。ユーザは、ＰＣ３に接続しているＬＣＤ４６、キーボード４７、およびマウス４８を用いてアプリケーションを操作し、文書、図面、写真等の種々のコンテンツの生成等を行うことができる。ドライバは、各種アプリケーションによって生成された汎用的なフォーマット（例えば、ＰＤＦ、ＪＰＥＧ、ＨＴＭＬ等）のファイルデータから、端末用フォーマットのファイルデータを生成し、表示端末１に送信することができる。表示端末１は、ＰＣ３から受信して記憶（ダウンロード）したファイルデータに従って画像を表示することができる。その結果、ユーザは、種々のコンテンツを表示端末１によって閲覧することができる。本実施形態に係る表示端末１は、１つのページのデータの受信が完了する毎に、データの受信が完了したページを表示パネル２６に表示させることができ、この点に特徴を有する。
【００２４】
図２を参照して、表示端末１の電気的構成について説明する。表示端末１は、表示端末１の制御を司るＣＰＵ１０を備える。ＣＰＵ１０には、ＲＯＭ１１、ＲＡＭ１２、ＥＥＰＲＯＭ１３、メモリカードＩ／Ｆ１４、表示コントローラ１６、キーコントローラ１７、ＵＳＢ  Ｉ／Ｆ１８、および無線通信Ｉ／Ｆ１９が接続されている。
【００２５】
ＲＯＭ１１は、表示端末１を動作させるための表示制御プログラム等の各種プログラム、および初期値等を記憶している。ＲＡＭ１２は、制御プログラムで使用される各種の情報を一時的に記憶する。ＥＥＰＲＯＭ１３は、各種の情報を記憶する不揮発性の記憶装置である。メモリカードＩ／Ｆ１４は、カードスロットに挿入されたメモリカード１５に接続し、メモリカード１５に対するデータ（例えば、画像を表示するためのファイルデータ）の読み出しおよび書き込みを行う。表示コントローラ１６は、表示パネル２６での画像表示を制御する。キーコントローラ１７は、操作部２７に入力された操作を受け付ける。ＵＳＢ  Ｉ／Ｆ１８は、ＵＳＢケーブル２０を介して外部機器（ここでは、ＰＣ３）との間でデータ送受を行う。無線通信Ｉ／Ｆ１９は、外部機器との間で無線によるデータ送受を行う。
【００２６】
図３を参照して、ＰＣ３の電気的構成について説明する。ＰＣ３は、ＰＣ３の制御を司るＣＰＵ３０を備える。ＣＰＵ３０には、ＲＯＭ３１、ＲＡＭ３２、ハードディスクドライブ（以下、「ＨＤＤ」といいう。）３３、ＣＤ−ＲＯＭドライブ３４、表示コントローラ３６、操作コントローラ３７、ＵＳＢ  Ｉ／Ｆ３８、および無線通信Ｉ／Ｆ３９が接続されている。
【００２７】
ＲＯＭ３１は、ＣＰＵ３０が実行するＢＩＯＳ等のプログラムおよび初期値等を記憶している。ＲＡＭ３２は、各種の情報を一時的に記憶する。ＨＤＤ３３は、不揮発性の記憶装置であり、表示端末１との間の通信を制御するためのドライバプログラム、および各種ファイルデータの作成等を行うためのアプリケーションプログラム等を記憶している。ＣＤ−ＲＯＭドライブ３４は、ＣＤ−ＲＯＭ３５に記憶されているデータを読み出す。ＰＣ３は、ドライバプログラムをＣＤ−ＲＯＭ３５から読み出して取得してもよいし、インターネット等のネットワークを介して取得してもよい。表示コントローラ３６は、ＰＣ３に接続したＬＣＤ４６の画像表示を制御する。操作コントローラ３７は、キーボード４７およびマウス４８に入力された操作を受け付ける。ＵＳＢ  Ｉ／Ｆ３８および無線通信Ｉ／Ｆ３９は、外部機器（ここでは、表示端末１）との間でデータ送受を行う。
【００２８】
以下、第一の実施形態に係る画像表示システム１００で実行される処理について、詳細に説明する。まず、図４および図５を参照して、ＰＣ３が実行する送信処理について説明する。送信処理は、ドライバプログラムを起動させる指示がキーボード４７等によって入力されると、ＨＤＤ３３に記憶されているドライバプログラムに従って、ＰＣ３のＣＰＵ３０によって実行される。送信処理では、１または複数のページのデータを含むファイルデータから、端末用フォーマットのファイルデータが生成されて、表示端末１に送信される。
【００２９】
図４に示すように、送信処理が開始されると、ユーザによる送信データの選択指示が受け付けられる（Ｓ１）。ユーザは、キーボード４７およびマウス４８を操作して、表示端末１に送信させるファイルデータを選択する。ＣＰＵ３０は、選択指示によって選択されたファイルデータを、表示端末１に送信するファイルデータとして決定する。
【００３０】
次いで、表示端末１に各ページを逐次表示させるか否かを選択する指示が受け付けられる（Ｓ２）。逐次表示とは、各ページのデータの送受信が完了する毎に、送受信が完了したページを表示端末１が表示することを言う。表示端末１が逐次表示を行うことで、ユーザは、ファイルデータのダウンロードの進捗状況を容易に把握することができる。さらに、ユーザは、１つのファイルデータのダウンロードが全て完了することを待つことなく、画像が表示パネル２６においてどのように表示されるのかを、各ページのデータの送受信が完了する毎に確認することができる。
【００３１】
本実施形態に係る画像表示システム１００は、表示端末１に逐次表示を実行させるか否かを、Ｓ２の処理においてユーザに選択させることができる。詳細には、ユーザは、逐次表示を実行させるか否かの設定を変更する場合、キーボード４７およびマウス４８を操作し、設定変更の指示を入力する。ＣＰＵ３０は、図５に示すファイルデータ送受信設定画面を、ＬＣＤ４６に表示させる。ユーザは、「受信結果を随時表示する」のチェックボックスにチェックを入れるか否かによって、逐次表示を実行させるか否かを選択する。「受信結果を随時表示する」にチェックを入れると、「全画面表示」および「サムネイル表示」のいずれかが選択できる状態となり、ユーザは所望の表示態様を選択することができる。全画面表示とは、データの送受信が完了した最新のページのみを、表示パネル２６の全体に表示させる態様である。サムネイル表示とは、ページのデータの送受信が完了する毎に、ページの画像をサムネイル形式で表示パネル２６に追加表示させる態様である。サムネイル表示によれば、送受信が完了した複数のページを表示パネル２６に表示させることができる。ＰＣ３のＣＰＵ３０は、Ｓ２の処理において受け付けた内容を、ＲＡＭ３２またはＨＤＤ３３に記憶させる。
【００３２】
次いで、送信処理の終了指示が入力されたか否かが判断される（Ｓ３）。ユーザは、送信処理を途中で終了させる場合、キーボード４７等を操作し、終了（キャンセル）の指示を入力する。終了指示が入力されていなければ（Ｓ３：ＮＯ）、ファイルデータの送信を開始させる指示が入力されたか否かが判断され（Ｓ４）、入力されていなければ（Ｓ４：ＮＯ）、Ｓ３およびＳ４の判断が繰り返される。送信処理の終了指示が入力されると（Ｓ３：ＹＥＳ）、処理はそのまま終了する。
【００３３】
キーボード４７およびマウス４８が操作され、ファイルデータの送信を開始させる指示が入力されると（Ｓ４：ＹＥＳ）、表示端末１との間で有線または無線による通信が確立される（Ｓ５）。表示選択内容指示コマンドが、表示端末１に送信される（Ｓ８）。表示選択内容指示コマンドは、各ページを逐次表示させるか否かの選択指示、および表示態様の選択指示を表示端末１に通知するためのコマンドである。前述したように、選択指示の内容は、Ｓ２の処理で受け付けられている。
【００３４】
ファイルデータの送信開始を通知するための開始通知コマンドが、表示端末１に送信される（Ｓ９）。送信中のページ数を示すページ数カウンタｎの値が「０」に初期化されて（Ｓ１１）、ファイルデータを送信するための処理が行われる（Ｓ１２〜Ｓ１９）。
【００３５】
ファイルデータを送信するための処理では、まず、送信すべきファイルデータのうち、未送信のページのデータがないか（全てのページのデータの送信が完了したか否か）が判断される（Ｓ１２）。未送信のページがあれば（Ｓ１２：ＮＯ）、ページ数カウンタｎの値に「１」が加算される（Ｓ１３）。Ｓ１で選択されたファイルデータから、ｎページ目の端末用フォーマットのファイルデータが生成される（Ｓ１４）。１つのページのデータ送信を開始させることを通知するためのページ開始コマンドが、表示端末１に送信される（Ｓ１５）。ファイルデータのうちのｎページ目が、表示端末１に送信される（Ｓ１６）。ｎページ目のデータの送信が完了するまで（Ｓ１７：ＮＯ）、データの送信が継続される（Ｓ１６）。ｎページ目のデータの送信が完了すると（Ｓ１７：ＹＥＳ）、１つのページのデータ送信が終了したことを示すページ終了コマンドが表示端末１に送信されて（Ｓ１８）、処理はＳ１２に戻る。未送信のページのデータがあれば（Ｓ１２：ＮＯ）、次のページのデータが送信される（Ｓ１３〜Ｓ１８）。全てのページのデータの送信が完了すると（Ｓ１２：ＹＥＳ）、１つのファイルデータの送信が終了したことを通知するための終了通知コマンドが、表示端末１に送信される（Ｓ１９）。送信処理は終了する。
【００３６】
次に、図６を参照して、第一の実施形態に係る表示端末１が実行する受信処理について説明する。受信処理は、ＰＣ３との間の通信を確立する処理が開始されると、ＲＯＭ１１に記憶されているプログラムに従ってＣＰＵ１０が実行する。
【００３７】
まず、ＰＣ３との間の通信が確立される（Ｓ２１）。表示選択内容指示コマンドが受信されて、各ページを逐次表示させるか否かの選択指示、および表示態様の選択指示が受け付けられる。受け付けられた選択指示の内容に応じて、逐次表示を実行するか否か、および逐次表示を実行する場合の画像の表示態様が設定される（Ｓ２２）。ファイルデータの送信開始を通知する開始通知コマンドを受信するまで、待機状態とされる（Ｓ２３：ＮＯ）。
【００３８】
開始通知コマンドを受信すると（Ｓ２３：ＹＥＳ）、逐次表示を実行する設定とされているか否かが判断される（Ｓ２４）。逐次表示を実行しない設定とされている場合には（Ｓ２４：ＮＯ）、終了通知コマンドを受信するまで（Ｓ２６：ＮＯ）、ファイルデータがそのまま受信されてメモリカード１５に記憶される（Ｓ２５）。この場合、表示端末１は、画像表示等の処理を実行する必要がないため、処理負担が低下する。その結果、ファイルデータのダウンロード速度が向上し、且つ消費電力も低下する。終了通知コマンドを受信すると（Ｓ２６：ＹＥＳ）、処理は終了する。
【００３９】
逐次表示を実行する設定とされている場合には（Ｓ２４：ＹＥＳ）、ファイルデータを受信する処理、および逐次表示を行うための処理が開始される（Ｓ２８〜Ｓ４０）。まず、終了通知コマンドを受信したか否かが判断される（Ｓ２８）。受信していない場合には（Ｓ２８：ＮＯ）、１つのページのデータ送信を開始させることを通知するためのページ開始コマンドをＰＣ３から受信したか否かが判断される（Ｓ２９）。受信していなければ（Ｓ２９：ＮＯ）、Ｓ２８およびＳ２９の判断が繰り返される。ページ開始コマンドを受信した場合には（Ｓ２９：ＹＥＳ）、端末用フォーマットのファイルデータが受信されて、メモリカード１５に記憶される（Ｓ３０）。
【００４０】
次いで、表示パネル２６に表示しているページに対する処理の実行指示が受け付けられる（Ｓ３２〜Ｓ３５）。詳細には、まず、ページを探索するための目印（所謂「しおり」）を表示中のページに付与する指示が入力されたか否かが判断される（Ｓ３２）。入力されていなければ（Ｓ３２：ＮＯ）、処理はそのままＳ３４の判断へ移行する。入力された場合には（Ｓ３２：ＹＥＳ）、表示中のページに対応付けて、ページに目印を付与する指示がＲＡＭ１２に記憶される（Ｓ３３）。次いで、表示中のページのデータを削除する指示が入力されたか否かが判断される（Ｓ３４）。入力されていなければ（Ｓ３４：ＮＯ）、処理はそのままＳ３６の判断へ移行する。入力された場合には（Ｓ３４：ＹＥＳ）、表示中のページに対応付けて、ページのデータを削除する指示がＲＡＭ１２に記憶される（Ｓ３５）。
【００４１】
なお、「表示中のページ」とは、全画面表示が行われている場合には、指示が入力された時点で表示パネル２６に表示されているページ、つまり、その時点でデータの送受信中となっているページの直前のページとなる。また、サムネイル表示が行われている場合、本実施形態では、その時点でデータが送受信されているページの直前のページ（受信が完了した最新のページ）が太枠で囲まれ、このページが「表示中のページ」とされる。つまり、ユーザは、表示パネル２６にサムネイル形式で表示されている１または複数のページのうち、最後に表示されたページに対して処理の実行指示を入力できる。しかし、表示端末１は、最後に表示されたページに限らず、サムネイル形式で表示されている１または複数のページの１つを、操作部２７によってユーザに選択させてもよい。この場合、表示端末１は、選択されたページに対応付けて、Ｓ３２、Ｓ３４で入力された処理の実行指示を記憶すればよい。また、表示パネル２６に画像が表示されていない状態（１ページ目のデータを受信している状態）で受け付けられた指示は、記憶されることなくそのまま破棄される。
【００４２】
次いで、１つのページのデータ送信が終了したことを示すページ終了コマンドを、ＰＣ３から受信したか否かが判断される（Ｓ３６）。受信していなければ（Ｓ３６：ＮＯ）、処理はＳ３０へ戻り、ページのデータの受信、および処理の実行指示の受付が繰り返される（Ｓ３０〜Ｓ３５）。ページ終了コマンドを受信した場合には（Ｓ３６：ＹＥＳ）、サムネイル表示を実行する設定とされているか否かが判断される（Ｓ３７）。サムネイル表示の設定となっていれば（Ｓ３７：ＹＥＳ）、データの受信が完了した最新のページが、サムネイル形式で表示パネル２６に追加表示される（Ｓ３８）。
【００４３】
具体的には、図７に示すように、過去にデータの受信が完了したページの画像５１に加え、最新のページの画像５２が、受信したファイルデータに基づいて表示される。本実施形態では、最新のページ５２は太枠で囲まれており、目印付与の実行指示およびページ削除の実行指示は、太枠で囲まれた最新のページ５２に対する指示として処理される。
【００４４】
なお、表示端末１は、ページの画像を画面全体に表示させる場合、およびサムネイル表示させる場合のいずれにおいても、ＰＣ３から受信した同一のファイルデータに基づいて画像を表示させることができる。つまり、画像表示システム１００では、表示端末１に画像をサムネイル表示させるための専用のデータ（具体的には、プレビュー用のデータ）をＰＣ３で生成する必要がない。よって、画像表示システム１００は、サムネイル表示専用のデータをＰＣ３で生成する処理、および送受信する処理をいずれも行うことなく、データのダウンロードの進捗状況を、表示パネル２６によって容易にユーザに把握させることができる。
【００４５】
一方、サムネイル表示でなく、全画面表示の設定となっていれば（Ｓ３７：ＮＯ）、表示されていた前のページの画像が消去され、データの受信が完了した最新のページが表示パネル２６に表示される（Ｓ３９）。処理はＳ２８の判断へ戻る。ＰＣ３が全ページのデータの送信を完了し、終了通知コマンドを表示端末１に送信するまで、ページのデータの受信が繰り返し行われる（Ｓ３０〜Ｓ３９）。
【００４６】
ＰＣ３から終了通知コマンドを受信すると（Ｓ２８：ＹＥＳ）、Ｓ３３およびＳ３５で記憶された指示に従って、対応するページのデータに対する処理が行われる（Ｓ４０）。具体的には、指示が受け付けられた時点で表示パネル２６に表示されていたページのデータに対し、目印を付与する処理またはページを削除する処理が、全ページのデータの受信完了後にまとめて行われる。その後、受信処理は終了する。
【００４７】
以上説明したように、第一の実施形態に係る表示端末１は、１または複数のページのデータを含むファイルデータのうち、１つのページのデータの受信が完了する毎に、データの受信が完了したページを表示パネル２６に表示させることができる。従って、ユーザは、表示パネル２６に表示される画像を見ることで、ファイルデータのダウンロードの進捗状況を、データのダウンロード中に容易に確認することができる。また、従来の画像表示システムでは、ＰＣから表示端末への１つのファイルデータの送信が完了するまで、各ページが表示端末でどのように表示されるかを確認することはできなかった。しかし、第一の実施形態に係る表示端末１によると、ユーザは、各ページが表示パネル２６でどのように表示されるかを、データのダウンロード中に容易に確認することができる。さらに、表示端末１は、１つのページのデータの受信が完了してから、ページを表示パネル２６に表示する。よって、表示端末１は、１つのページのデータを受信している途中で受信中のページを表示させる場合に比べて、よりスムーズに表示を制御することができる。
【００４８】
表示端末１によると、ユーザは、ファイルデータのダウンロード中に、ダウンロードの進捗状況を確認しながら、各ページに対する処理を表示端末１に実行させることができる。よって、ユーザは、各ページに対する処理を効率よく容易に表示端末１に実行させることができる。詳細には、ユーザは、ページを検索するための目印を、所望するページに容易に付与することができる。ユーザは、ファイルデータのダウンロードの進捗状況を確認しながら、所望するページのデータを効率よく削除することができる。
【００４９】
表示端末１は、１つのファイルデータの受信（ダウンロード）が全て完了した場合に、ダウンロード中にユーザから指示された処理を実行することができる。つまり、表示端末１は、ユーザから指示された処理をファイルデータのダウンロード中に実行する必要が無い。従って、表示端末１は、処理遅延等の不具合が生じる可能性を低下させて、ファイルデータを素早く且つ円滑にダウンロードすることができる。
【００５０】
表示端末１によると、ユーザは、逐次表示の実行指示を入力すれば、ファイルデータのダウンロードの進捗状況を容易に把握することができる。一方、ユーザは、ダウンロードの進捗状況を把握する必要が無い場合には、逐次表示を実行しない指示を入力することで、表示端末１におけるデータ受信中の処理負担を低下させることができる。その結果、ファイルデータのダウンロード速度を向上させることができ、且つ表示端末１の消費電力を低下させることができる。また、表示端末１は、データの受信が完了したページをサムネイル形式で表示することができる。よって、ユーザは、サムネイル形式で表示された複数の画像によって、データのダウンロードの進捗状況、および各ページの表示態様をより容易に把握することができる。
【００５１】
第一の実施形態において、画像の表示を制御する表示端末１が本発明の「表示制御装置」に相当する。表示パネル２６が本発明の「表示手段」に相当する。ＵＳＢ  Ｉ／Ｆ１８および無線通信Ｉ／Ｆが「通信手段」に相当する。メモリカード１５が「記憶手段」に相当する。図６のＳ２５およびＳ３０で、ファイルデータを受信してメモリカード１５に記憶させるＣＰＵ１０が、「受信手段」として機能する。図６のＳ３６でページ終了コマンドを受信したか否かを判断するＣＰＵ１０が「判断手段」として機能する。図６のＳ３８，Ｓ３９で、データの受信が完了したページを表示パネル２６に表示させるＣＰＵ１０が、「表示制御手段」として機能する。
【００５２】
図６のＳ３２，Ｓ３４で、表示中のページに対する処理の実行指示を受け付けるＣＰＵ１０が、「指示受付手段」として機能する。図６のＳ４０で、処理の実行が指示されたページのデータに対して処理を行うＣＰＵ１０が、「処理手段」として機能する。Ｓ３２で受け付けられる実行指示が「第一実行指示」に相当する。Ｓ３４で受け付けられる処理の実行指示が「第二実行指示」に相当する。図６のＳ２２で、表示選択内容指示コマンドをＰＣ３から受信することで逐次表示の実行の選択指示を受け付けるＣＰＵ１０が、「選択受付手段」として機能する。
【００５３】
図６のＳ２５およびＳ３０で、ファイルデータを受信してメモリカード１５に記憶させる処理が、本発明の「受信ステップ」に相当する。図６のＳ３６でページ終了コマンドを受信したか否かを判断する処理が「判断ステップ」に相当する。図６のＳ３８，Ｓ３９で、データの受信が完了したページを表示パネル２６に表示させる処理が、「表示制御ステップ」に相当する。
【００５４】
本発明の第二の実施形態に係る画像表示システムについて、図８および図９を参照して説明する。第二の実施形態に係る画像表示システムでは、ドライバプログラム（本発明における「データ送信プログラム」に相当する）に従って動作するＰＣ３が、表示端末１における画像の逐次表示を制御する。この点が、表示端末１が逐次表示を制御する第一の実施形態とは異なる。上記以外の処理、および各装置の構成は、第一の実施形態における処理および構成と同じである。よって、第一の実施形態における処理と同一の処理、および各装置の構成については、第一の実施形態と同一の番号を付し、説明を省略または簡略化する。
【００５５】
図８を参照して、第二の実施形態に係るＰＣ３が実行する送信処理について説明する。図８に示す送信処理は、ＨＤＤ３３に記憶されているドライバプログラムに従って、ＰＣ３のＣＰＵ３０によって実行される。まず、ユーザによる送信データの選択指示が受け付けられる（Ｓ１）。表示パネル２６における逐次表示を実行するか否かを選択する指示が受け付けられる（Ｓ２）。ファイルデータの送信を開始させる指示が入力されると（Ｓ４：ＹＥＳ）、表示端末１との間の通信が確立される（Ｓ５）。ファイルデータの送信開始が、表示端末１に通知される（Ｓ９）。ページ数カウンタｎの値が、「０」に初期化される（Ｓ１１）。以後、ファイルデータを送信する処理と、データの送信が完了したページの逐次表示を表示端末１に指示する処理とが実行される。
【００５６】
まず、送信すべきファイルデータのうち、未送信のページのデータがないか（全てのページのデータの送信が完了したか否か）が判断される（Ｓ１２）。未送信のページがあれば（Ｓ１２：ＮＯ）、ページ数カウンタｎの値に「１」が加算される（Ｓ１３）。ｎページ目を表示させるための端末用フォーマットのデータが生成される（Ｓ１４）。１つのページのデータ送信を開始させることを通知するページ開始コマンドが、表示端末１に送信される（Ｓ１５）。生成されたｎページ目のファイルデータが、表示端末１に送信される（Ｓ１６，Ｓ１７）。送信が完了すると（Ｓ１７：ＹＥＳ）、ページ終了コマンドが送信される（Ｓ１８）。
【００５７】
次いで、逐次表示を実行する設定とされているか否かが判断される（Ｓ５１）。Ｓ２の処理で逐次表示を実行しない選択指示が入力された場合には（Ｓ５１：ＮＯ）、処理はそのままＳ１２の判断へ戻る。逐次表示を実行する設定とされている場合には（Ｓ５１：ＹＥＳ）、最後にデータの送信が完了したページを表示パネル２６に表示させる指示を行うための最新ページ表示指示コマンドが、表示端末１に送信される（Ｓ５２）。処理はＳ１２の判断へ戻る。なお、最新ページ表示指示コマンドには、全画面表示の実行を指示するコマンドと、サムネイル表示の実行を指示するコマンドとが設けられている。ＣＰＵ３０は、Ｓ２で受け付けられた選択指示に応じて、全画面表示およびサムネイル表示のいずれかの実行を指示する。
【００５８】
全てのページの送信が完了するまで（Ｓ１２：ＮＯ）、各ページのデータの送信処理（Ｓ１３〜Ｓ１８）、および表示を指示する処理（Ｓ５１，Ｓ５２）が繰り返される。全てのページのデータの送信が完了すると（Ｓ１２：ＹＥＳ）、１つのファイルデータの送信が終了したことを通知するための終了通知コマンドが、表示端末１に送信される（Ｓ１９）。送信処理は終了する。
【００５９】
図９を参照して、第二の実施形態に係る表示端末１が実行する受信処理について説明する。受信処理は、ＰＣ３との間の通信を確立する処理が開始されると、ＲＯＭ１１に記憶されているプログラムに従って、表示端末１のＣＰＵ１０によって実行される。まず、ＰＣ３との間の通信が確立される（Ｓ２１）。開始通知コマンドを受信すると（Ｓ２３：ＹＥＳ）、ファイルデータを受信する処理が開始される。ページ開始コマンドを受信すると（Ｓ２９：ＹＥＳ）、ページのファイルデータを受信して記憶する処理が行われる（Ｓ３０）。表示パネル２６に表示されているページに対する処理の実行指示が入力されると（Ｓ５３：ＹＥＳ）、表示中のページに対応付けて、入力された処理の実行指示がＲＡＭ１２に記憶される（Ｓ５４）。ページ終了コマンドを受信するまで（Ｓ３６：ＮＯ）、ファイルデータをダウンロードする処理が繰り返される。
【００６０】
ページ終了コマンドを受信すると、最新ページ表示指示コマンドを受信したか否かが判断される（Ｓ６１）。前述したように、最新ページ表示指示コマンドは、最後にデータの送信が完了したページを表示パネル２６に表示させる指示を行うためのコマンドである。最新ページ表示指示コマンドは、ＰＣ３において逐次表示の設定が行われている場合に、各ページのデータの送信が完了する毎に送信される。コマンドを受信しなければ（Ｓ６１：ＮＯ）、処理はそのままＳ２８の判断へ戻る。最新ページ表示指示コマンドを受信すると（Ｓ６１：ＹＥＳ）、受信が完了した最新のページが表示パネル２６に表示される（Ｓ６２）。ＣＰＵ１０は、受信したコマンドの種類に応じて、全画面表示およびサムネイル表示のいずれかの態様で画像を表示させる。処理はＳ２８の判断へ戻る。終了通知コマンドを受信すると（Ｓ２８：ＹＥＳ）、Ｓ５４で記憶された指示に従って、対応するページのデータに対する処理が行われて（Ｓ４０）、処理は終了する。
【００６１】
以上説明したように、第二の実施形態に係るＰＣ３は、１または複数のページのデータを含むファイルデータのうち、１つのページのデータの送信が完了する毎に、データの送信が完了したページを、ファイルデータのダウンロード中に表示端末１の表示パネル２６に表示させることができる。従って、ユーザは、表示パネル２６に表示される画像を見ることで、ファイルデータのダウンロードの進捗状況を、データのダウンロード中に容易に確認することができる。ユーザは、各ページが表示パネル２６でどのように表示されるかを、データのダウンロード中に容易に確認することができる。
【００６２】
ユーザは、逐次表示の実行指示をＰＣ３に入力すれば、ファイルデータのダウンロードの進捗状況を表示パネル２６で容易に把握することができる。一方、ユーザは、ダウンロードの進捗状況を把握する必要が無い場合には、逐次表示を実行しない指示を入力することで、表示端末１におけるデータ受信中の処理負担を低下させることができる。その結果、ファイルデータのダウンロード速度を向上させることができ、且つ表示端末１の消費電力を低下させることができる。
【００６３】
第二の実施形態において、図８に示す送信処理をＰＣ３に実行させるためのドライバプログラムが、本発明の「データ送信プログラム」に相当する。画像の表示を制御する表示端末１が本発明の「表示制御装置」に相当する。表示パネル２６が本発明の「表示手段」に相当する。ＵＳＢ  Ｉ／Ｆ３８および無線通信Ｉ／Ｆ３９が「通信手段」に相当する。図８のＳ１６でページのデータを送信する処理が「データ送信ステップ」に相当する。図８のＳ５２で最新ページ表示指示コマンドを送信する処理が「表示指示ステップ」に相当する。
【００６４】
本発明は上記実施形態に限定されることはなく、様々な変形が可能であることは言うまでもない。上記実施形態に係る表示端末１は、表示パネル２６を備えた携帯型の端末である。しかし、本発明が適用できるのは、表示パネル２６を備えた端末に限られない。例えば、装置本体はディスプレイを備えず、外部のディスプレイに接続し、接続したディスプレイの表示を制御する表示制御装置にも、本発明は適用できる。また、スクリーンに画像を投影するプロジェクタ等にも適用可能である。
【００６５】
上記実施形態のＰＣ３は、送信するように選択されたファイルデータから、端末用フォーマットのファイルデータを生成し、生成したデータを表示端末１に送信する。しかし、本発明は、ファイルデータのフォーマット（データ形式）を変換せずにそのまま送信する場合にも適用できる。また、表示端末１は、データのダウンロードの進捗状況を示すプログレスバーを表示させてもよい。この場合、例えば、ＰＣ３のＣＰＵ３０は、図４のＳ９で開始通知コマンドを表示端末１に送信する際に、送信するファイルデータのデータ量またはページ数を表示端末１に通知する。表示端末１のＣＰＵ１０は、図６のＳ３０でファイルデータを受信した際に、通知されたデータ量と受信済みのデータ量とに基づいて、プログレスバーを表示すればよい。この場合、ユーザはより容易にデータのダウンロードの進捗状況を把握することができる。
【００６６】
上記実施の形態では、ＰＣ３が実行する送信処理（図４および図８参照）において、各ページのデータの送信開始時にページ開始コマンドが送信され（Ｓ１５）、さらに、ページのデータの送信終了時にページ終了コマンドが送信される（Ｓ１６）。しかし、ページ開始コマンドおよびページ終了コマンドの一方を省略することも可能である。ページのデータの送信終了時は、次のページの送信開始時と一致する。よって、ページの送信開始時および終了時のいずれかにのみコマンドが送信されても、上記実施形態における処理と同様の処理が実現できる。
【００６７】
上記第一の実施形態では、逐次表示を実行させるか否かの選択指示、およびサムネイル表示とするか否かの選択指示を、ＰＣ３が入力する（Ｓ２、図４参照）。ＰＣ３は、指示された選択内容を示すコマンドを表示端末１に送信する（Ｓ８、図４参照）。表示端末１は、ＰＣ３から送信されるコマンドを受信することで、ユーザによる選択指示を受け付ける（Ｓ２２、図６参照）。しかし、表示端末１は、ＰＣ３を介さずに、選択指示を操作部２７によって直接受け付けても良い。この場合、表示端末１は、図５に示すファイルデータ送受信設定画面と同様の画面を表示パネル２６に表示し、操作部２７の操作をユーザに促して、選択指示を受け付ければ良い。
【００６８】
上記実施形態の表示端末１は、表示中のページに目印を付与する指示、および表示中のページのデータを削除する指示を、ファイルデータの受信中に受け付けることができる（Ｓ３２，Ｓ３４、図６参照）。しかし、ファイルデータの受信中に表示端末１が受け付けることができる処理の実行指示は、これに限られない。例えば、表示端末１は、表示中のページを回転させる指示、最初に表示パネル２６に表示させるページとして指定する指示、ファイルデータの概要を示すためにサムネイル表示される代表ページとして指定する指示等を、ファイルデータの受信中に受け付けても良い。また、表示端末１は、ファイルデータのダウンロードを中止させる指示の入力を受け付けてもよい。この場合、表示端末１は、ダウンロードの中止指示が入力されたことをＰＣ３に通知し、ＰＣ３からのデータの送信を中止させてもよい。
【００６９】
上記実施形態の表示端末１は、ファイルデータのダウンロード中に処理の実行指示が入力された場合、入力された実行指示を記憶する。表示端末１は、ファイルデータのうちの全てのページのダウンロードが完了してから、記憶していた実行指示に従って、各ページに対する処理を実行する。その結果、表示端末１は、ファイルデータのダウンロード中の処理負担を増加させることを防止することができる。しかし、表示端末１は、ファイルデータのダウンロードの完了を待つことなく、実行指示が入力された際に処理を実行してもよい。
【００７０】
上記実施の形態の表示端末１は、ページの画像を画面全体に表示させる場合、およびサムネイル表示させる場合のいずれにおいても、ＰＣ３から受信した同一のファイルデータに基づいて画像を表示させる。従って、画像表示システム１００は、サムネイル表示専用のデータをＰＣ３で生成する処理、および送受信する処理をいずれも行う必要がない。しかし、ＰＣ３がサムネイル表示専用のデータを生成し、表示端末１に送信することも可能である。
【符号の説明】
【００７１】
１    表示端末
３    ＰＣ
１０    ＣＰＵ
１１    ＲＯＭ
１２    ＲＡＭ
１５    メモリカード
１８    ＵＳＢ  Ｉ／Ｆ
１９    無線通信Ｉ／Ｆ
２６    表示パネル
２７    操作部
３０    ＣＰＵ
３２    ＲＡＭ
３８    ＵＳＢ  Ｉ／Ｆ
３９    無線通信Ｉ／Ｆ
１００    画像表示システム
【図１】
2012003439.tif 000003
【図２】
2012003439.tif 000004
【図３】
2012003439.tif 000005
【図４】
2012003439.tif 000006
【図５】
2012003439.tif 000007
【図６】
2012003439.tif 000008
【図７】
2012003439.tif 000009
【図８】
2012003439.tif 000010
【図９】
2012003439.tif 000011